(57)【要約】【課題】光ディスクの品質低下を抑制する。【解決手段】光ディスクへの情報の記録および当該光ディスクに記録された情報の再生を実行可能な光ディスク記録再生装置であって、前記光ディスクの半径方向において分割した複数の同心円状の分割領域毎の情報の記録回数を、前記光ディスクの特定領域に記録する使用履歴記録部と、前記特定領域に記録された前記分割領域毎の記録回数を、前記分割領域毎に定められた前記記録回数に対する異なる評価基準に基づいて評価する評価部と、前記複数の分割領域のうち前記評価基準に基づいて前記記録回数が少ないと評価された分割領域を優先的に選択し、当該選択した分割領域に情報の記録を行う情報記録部とを備える。【選択図】図２
2016015188.tif 000002
【特許請求の範囲】
【請求項１】
光ディスクへの情報の記録および当該光ディスクに記録された情報の再生を実行可能な光ディスク記録再生装置であって、
前記光ディスクの半径方向において分割した複数の同心円状の分割領域毎の情報の記録回数を、前記光ディスクの特定領域に記録する使用履歴記録部と、
前記特定領域に記録された前記分割領域毎の記録回数を、前記分割領域毎に定められた前記記録回数に対する異なる評価基準に基づいて評価する評価部と、
前記複数の分割領域のうち前記評価基準に基づいて前記記録回数が少ないと評価された分割領域を優先的に選択し、当該選択した分割領域に情報の記録を行う情報記録部と、
を備えることを特徴とする光ディスク記録再生装置。
【請求項２】
前記分割領域毎の評価基準は、前記光ディスクの内周に近い分割領域に対する評価基準ほど、前記少ないと評価する記録回数の値が大きいことを特徴とする請求項１に記載の光ディスク記録再生装置。
【請求項３】
記録画質が異なる複数の記録モードの中から記録モードの選択を受け付け可能なモード選択受付部を備え、
前記使用履歴記録部は、前記選択される記録モードに応じて前記分割領域の数を異ならせることを特徴とする請求項１または請求項２に記載の光ディスク記録再生装置。
【請求項４】
記録画質が異なる複数の記録モードの中から記録モードの選択を受け付け可能なモード選択受付部と、
前記記録モード毎の選択回数を所定のメモリに記録するモード履歴記録部と、を備え、
前記使用履歴記録部は、前記メモリに記録された前記選択回数が多い記録モードに応じて前記分割領域の数を異ならせることを特徴とする請求項１または請求項２に記載の光ディスク記録再生装置。
【請求項５】
前記情報の記録及び又は前記情報の再生の際にエラーが発生したセクタのアドレスを前記特定領域に記録するエラー記録部を備え、
前記情報記録部は、前記選択した分割領域に情報の記録を行う際、前記特定領域に記録されたアドレスのセクタを避けて記録を行うことを特徴とする請求項１〜請求項４のいずれかに記載の光ディスク記録再生装置。
【発明の詳細な説明】
【技術分野】
【０００１】
本発明は、光ディスク記録再生装置に関する。
【背景技術】
【０００２】
ＤＶＤ（Digital Versatile Disk）やブルーレイディスク等の光ディスクでは、繰り返し情報を記録可能な（上書き可能な）製品が知られている。
【０００３】
ここで、光ディスクの記録領域に情報の記録を行う光ディスクの記録装置において、前記記録領を複数の単位領域に分割し、これら各単位領域の記録回数を該光ディスク上の所定領域に記録する回数記録手段と、前記記録領域への記録を行う際に、前記単位領域から記録候補領域として複数の単位領域を抽出し、抽出した各単位領域における前記回数記録手段が記録した前記記録回数を参照し、参照した前記記録回数のうちの最大値と最小値との差が予め設定されている許容値を超えた場合に、前記記録候補領域として抽出した単位領域のうちの前記記録回数が最大値を示す単位領域以外の単位領域を記録可能領域として選択して、その選択した記録可能領域に記録を行わせる選択手段と、を備えた構成が知られている（特許文献１参照）。
【先行技術文献】
【特許文献】
【０００４】
【特許文献１】特許第３５１８３５８号
【発明の概要】
【発明が解決しようとする課題】
【０００５】
光ディスクにおいては、同じ記録領域に何度も記録を繰り返すことで、ディスクの品質が劣化する（ディスクの寿命が低下する）という問題がある。前記文献は、記録頻度の低い単位領域を選択して記録を行うことで、記録が一部の単位領域に集中することを避けて、光ディスク全体をほぼ均一に使用する。しかしながら、光ディスクは、記録の品質や劣化のし易さは必ずしもディスク内で均一ではない。そのため、領域間で記録頻度の高低を単純に比較して記録に使用する領域を選ぶだけでは、光ディスク全体の寿命や信頼性を向上させるには不十分である。
【０００６】
本発明は少なくとも上述の課題を解決するためになされたものであり、光ディスクの品質低下を従来よりも的確に抑制することが可能な光ディスク記録再生装置を提供する。
【課題を解決するための手段】
【０００７】
本発明の態様の一つは、光ディスクへの情報の記録および当該光ディスクに記録された情報の再生を実行可能な光ディスク記録再生装置であって、前記光ディスクの半径方向において分割した複数の同心円状の分割領域毎の情報の記録回数を、前記光ディスクの特定領域に記録する使用履歴記録部と、前記特定領域に記録された前記分割領域毎の記録回数を、前記分割領域毎に定められた前記記録回数に対する異なる評価基準に基づいて評価する評価部と、前記複数の分割領域のうち前記評価基準に基づいて前記記録回数が少ないと評価された分割領域を優先的に選択し、当該選択した分割領域に情報の記録を行う情報記録部と、を備える。
【０００８】
本態様によれば、光ディスクの半径方向において分割した複数の同心円状の分割領域毎に、情報の記録回数が管理され、分割領域毎の記録回数は、分割領域毎に定められた記録回数に対する異なる評価基準に基づいて、多いか少ないか等評価される。そして、対応する評価基準の下で前記記録回数が少ないと評価された分割領域が情報の記録を行う領域として優先的に選択される。従って、記録が繰り返されることによる劣化の進行度合いが、いずれの分割領域においても同程度となり、光ディスク全体の品質をより長く保つことができる。
【０００９】
本発明の技術的思想は、光ディスク記録再生装置という物以外の態様によって実現されてもよい。光ディスク記録再生装置の各部が実行する各工程を含む方法を、一つの発明として捉えることができる。また、このような方法を、ハードウェア（光ディスク記録再生装置等）に実行させるためのプログラムや、当該プログラムを記憶したコンピュータ読取可能な記憶媒体を、それぞれ発明として捉えることができる。
【図面の簡単な説明】
【００１０】
【図１】装置の概略構成を例示するブロック図。
【図２】情報記録処理を示すフローチャート。
【図３】光ディスクの構造を簡易的に示す図。
【図４】情報再生処理を示すフローチャート。
【発明を実施するための形態】
【００１１】
本発明の実施形態として、前記分割領域毎の評価基準は、前記光ディスクの内周に近い分割領域に対する評価基準ほど、前記少ないと評価する記録回数の値が大きいとしてもよい。
【００１２】
また、本発明の実施形態として、記録画質が異なる複数の記録モードの中から記録モードの選択を受け付け可能なモード選択受付部を備え、前記使用履歴記録部は、前記選択される記録モードに応じて前記分割領域の数を異ならせるとしてもよい。
【００１３】
また、本発明の実施形態として、記録画質が異なる複数の記録モードの中から記録モードの選択を受け付け可能なモード選択受付部と、前記記録モード毎の選択回数を所定のメモリに記録するモード履歴記録部と、を備え、前記使用履歴記録部は、前記メモリに記録された前記選択回数が多い記録モードに応じて前記分割領域の数を異ならせるとしてもよい。
【００１４】
また、本発明の実施形態として、前記情報の記録及び又は前記情報の再生の際にエラーが発生したセクタのアドレスを前記特定領域に記録するエラー記録部を備え、前記情報記録部は、前記選択した分割領域に情報の記録を行う際、前記特定領域に記録されたアドレスのセクタを避けて記録を行うとしてもよい。
【００１５】
以下、図面を参照しながら本発明の実施形態を更に説明する。
（装置の概略構成）
図１は、光ディスク記録再生装置１００の概略構成をブロック図により示している。光ディスク記録再生装置１００は、光ピックアップ１０と、信号演算器３０と、デジタルサーボプロセッサ４０と、トラッキングアクチュエータ５０と、フォーカスアクチュエータ６０と、データ記録再生部７０と、操作受付部８０を含んでいる。光ディスク記録再生装置１００は、光ディスクＤに対してレーザー光を照射することにより、光ディスクＤにデータを記録（録画）し、また、光ディスクＤに記録されているデータを読み出す（再生する）。
【００１６】
レーザー光の光源や対物レンズや受光素子等を有する光ピックアップ１０は、データの読み出しに際しては、光ディスクＤの記録面から反射された光を受光素子で受光し、受光した光を電流に変換して、電気信号を信号演算器３０に出力する。一方、データ記録再生部７０から記録用のデータが入力されると、光ピックアップ１０は記録用のデータに応じて変調したレーザー光を光ディスクＤの記録面に照射し、記録を行う。
【００１７】
データ記録再生部７０は、信号演算器３０から増幅して出力される信号に復調処理、誤り検出及び訂正処理などを施すことにより情報を所定形式のデジタルデータに再生し、映像や音声を外部に出力する。また、データ記録再生部７０は、不図示の受信機（テレビ放送信号を受信する受信機）や他の外部装置から前記記録用のデータが入力されると、ＲＦ信号に変換して、上述したように光ピックアップ１０へ出力する。また、データ記録再生部７０は、操作受付部８０と接続している。操作受付部８０は、外部（ユーザ）からの操作を受け付けるための構成であり、例えば、ユーザが操作するリモートコントローラ（リモコン）からのリモコン信号を受信する。あるいは、操作受付部８０自身が、ユーザが操作するためのボタンやキーを有しているとしてもよい。
【００１８】
信号演算器３０は、光ピックアップ１０の受光素子から出力される信号から、トラッキングエラー信号とフォーカスエラー信号を生成する。トラッキングエラー信号とフォーカスエラー信号は、信号演算器３０から、デジタルサーボプロセッサ４０へ入力される。デジタルサーボプロセッサ４０は、トラッキングエラー信号に応じて、光ピックアップ１０が光ディスクＤのトラックに追従するように、光ピックアップ１０を駆動するトラッキングアクチュエータ５０を制御する。また、デジタルサーボプロセッサ４０は、光ピックアップ１０内に設けられた対物レンズと光ディスクＤとの間の距離が適正となるように、フォーカスアクチュエータ６０を制御する。なお、本実施形態では、光ディスクＤは、繰り返し書き換え可能な光ディスク（例えば、ＤＶＤ‐ＲＷ、ＤＶＤ＋ＲＷ等の規格の光ディスク）であるとする。
【００１９】
（第１実施例）
図２は、光ディスク記録再生装置１００が実行する光ディスクＤへの情報記録処理をフローチャートにより示している。情報記録処理としては、例えば、テレビ番組等の動画コンテンツに該当する前記記録用のデータを光ディスクＤに記録する場面が想定される。当該フローチャートは、主として、所定のプログラムに従って機能するデータ記録再生部７０による制御化で実現される。データ記録再生部７０は、光ピックアップ１０や信号増幅器３０等の、光ディスク記録再生装置１００内の各構成と協同することにより、当該フローチャートの各ステップを実現させる。
【００２０】
ステップＳ１００では、データ記録再生部７０は、光ディスクＤのリードイン領域にアクセスする。つまり、リードイン領域に記録されている情報を読み出す。
図３は、光ディスクＤの構造を簡易的に示している。光ディスクＤは、内周端付近にリードイン領域ＬＩを、外周端付近にリードアウト領域ＬＯを有する。また、リードイン領域ＬＩとリードアウト領域ＬＯとの間は、データ領域ＤＡとなっている。
【００２１】
ステップＳ１１０では、データ記録再生部７０は、リードイン領域から読み出した情報のうち、分割領域毎の「記録回数」と、エラーセクタの「アドレス情報」とを取得する。リードイン領域には、光ディスクＤにとっての最新の前記記録回数と前記アドレス情報が記録されている。リードイン領域は、特定領域の一例に該当する。後述するように、本実施例の情報記録処理では、光ディスクＤへの記録を終える際に、リードイン領域における前記記録回数と前記アドレス情報とを更新する（ステップＳ１４０）。従って、ステップＳ１１０で取得する記録回数とアドレス情報は、過去の情報記録処理等で更新された記録回数とアドレス情報である。
【００２２】
分割領域とは、データ領域ＤＡを光ディスクＤの半径方向において分割した複数の同心円状の領域を指す。図３では、一例として、データ領域ＤＡが、光ディスクＤの内周側から外周側に沿って領域Ａ１，Ａ２，Ａ３という３つの分割領域に分けられていることを示している。リードイン領域には、このような領域Ａ１，Ａ２，Ａ３毎の、これまでの記録回数が情報として記録されている。
【００２３】
エラーセクタとは、不良セクタとも言い、データの記録や再生の際に、エラー（記録失敗、再生失敗）が生じたデータ領域ＤＡ内のセクタを指す。リードイン領域には、過去の記録時や再生時にエラーセクタと判定されたセクタのアドレス（一意のセクタ番号）がアドレス情報として記録されている。
【００２４】
ステップＳ１２０では、データ記録再生部７０は、ステップＳ１１０で取得した分割領域毎の記録回数を、分割領域毎に定められた記録回数に対する異なる評価基準に基づいて評価し、分割領域間での優先順位を決定する。ここで、一つの分割領域についての評価基準とは、その分割領域の現時点での記録回数が多いか少ないかを評価するための基準である。例えば、最も内周側の領域Ａ１に関して、評価基準としての複数のしきい値ＴＨａ１，ＴＨａ２…が予め定められているとする。領域Ａ１の記録回数をＩ、領域Ａ１に関するしきい値の大小関係はＴＨａ１＜ＴＨａ２…であるとする。この場合、データ記録再生部７０は、例えば、Ｉ≦ＴＨａ１であれば領域Ａ１の記録回数は少ないと判定し、ＴＨａ１＜Ｉ≦ＴＨａ２であれば領域Ａ１の記録回数はやや多いと判定し、ＴＨａ２＜Ｉであれば領域Ａ１の記録回数はかなり多いと判定する。
【００２５】
同様に、領域Ａ１の外側の領域Ａ２に関して、評価基準としての複数のしきい値ＴＨｂ１，ＴＨｂ２…が予め定められており、領域Ａ２の記録回数をＪ、領域Ａ２に関するしきい値の大小関係はＴＨｂ１＜ＴＨｂ２…であるとする。この場合、データ記録再生部７０は、Ｊ≦ＴＨｂ１であれば領域Ａ２の記録回数は少ないと判定し、ＴＨｂ１＜Ｊ≦ＴＨｂ２であれば領域Ａ２の記録回数はやや多いと判定し、ＴＨｂ２＜Ｊであれば領域Ａ２の記録回数はかなり多いと判定する。
【００２６】
同様に、最も外周側の領域Ａ３に関して、評価基準としての複数のしきい値ＴＨｃ１，ＴＨｃ２…が予め定められており、領域Ａ３の記録回数をＫ、領域Ａ３に関するしきい値の大小関係はＴＨｃ１＜ＴＨｃ２…であるとする。この場合、データ記録再生部７０は、Ｋ≦ＴＨｃ１であれば領域Ａ３の記録回数は少ないと判定し、ＴＨｃ１＜Ｋ≦ＴＨｃ２であれば領域Ａ３の記録回数はやや多いと判定し、ＴＨｃ２＜Ｋであれば領域Ａ３の記録回数はかなり多いと判定する。
【００２７】
本実施例では、上述した評価基準としてのしきい値は、対応する分割領域毎に異なった値としている。概念的には、分割領域毎の評価基準（しきい値）は、光ディスクＤの内周に近い分割領域に対する評価基準ほど、少ないと評価する記録回数の値が大きい。具体的には、ＴＨａ１＞ＴＨｂ１＞ＴＨｃ１、および、ＴＨａ２＞ＴＨｂ２＞ＴＨｃ２、の関係が成り立つ。そのため、仮に記録回数Ｉ，Ｊ，Ｋが全て同じ値であったとしても、記録回数Ｉは少ないと判定され、記録回数Ｊはやや多いと判定され、記録回数Ｋはかなり多いと判定される等、同じ記録回数に対する評価が分割領域毎に異なることがあり得る。また、Ｉ＞Ｊ＞Ｋであったとしても、記録回数Ｉは少ないと判定され、記録回数Ｊはやや多いと判定され、記録回数Ｋはかなり多いと判定されることもある。
【００２８】
データ記録再生部７０は、このような分割領域毎の評価基準を用いた結果、より記録回数が少ないと評価した分割領域の優先順位を高くする。例えば、記録回数Ｊを少ないと評価し、記録回数Ｉをやや多いと評価し、記録回数Ｋをかなり多いと評価した場合は、分割領域の優先順位は、高い順に、領域Ａ２、領域Ａ１、領域Ａ３と決定する。なお、複数の分割領域について同じ評価を下した場合は、光ディスクＤの内周側に近い分割領域の優先順位を高くする。例えば、記録回数ＪおよびＫをいずれも、やや多いと評価した場合、領域Ａ２の優先順位を、領域Ａ３の優先順位よりも高くする。このようなステップＳ１２０を実現する点で、光ディスク記録再生装置１００（データ記録再生部７０等）は、特定領域に記録された分割領域毎の記録回数を分割領域毎に定められた記録回数に対する異なる評価基準に基づいて評価する評価部、として機能すると言える。
【００２９】
ステップＳ１３０では、データ記録再生部７０は、ステップＳ１２０で決定した優先順位に従って分割領域を選択し、選択した分割領域に情報（例えば、前記動画コンテンツに該当する記録用のデータ）を記録する。例えば、分割領域の優先順位は、高い順に、領域Ａ２、領域Ａ１、領域Ａ３であれば、領域Ａ２にデータを記録する。仮に領域Ａ２だけでは記録に必要な容量が足らない場合は、記録すべき残りのデータを領域Ａ１に記録し、それでも記録に必要な容量が足らない場合は、記録すべき残りのデータを領域Ａ３に記録する。このようなステップＳ１３０を実現する点で、光ディスク記録再生装置１００（データ記録再生部７０等）は、複数の分割領域のうち前記評価によって記録回数が少ないと評価された分割領域を優先的に選択し当該選択した分割領域に情報の記録を行う情報記録部、として機能すると言える。
【００３０】
なお、ステップＳ１３０では、データ記録再生部７０は、ステップＳ１１０で取得した前記アドレス情報を参照し、当該アドレス情報が示すアドレスのエラーセクタを避けて（エラーセクタを避けるように光ピックアップ１０をサーボ制御して）記録を行う。
【００３１】
ステップＳ１４０では、データ記録再生部７０は、ステップＳ１３０で行った情報の記録の結果に応じて、リードイン領域における前記記録回数と前記アドレス情報とを更新する。つまり、ステップＳ１３０で記録を実行した分割領域についての記録回数の値を１増加させる（記録回数の更新）。例えば、ステップＳ１３０で、領域Ａ１，Ａ２に記録を行ったのであれば、領域Ａ１についてリードイン領域に記録されていたそれまでの記録回数Ｉに１を加え、かつ、領域Ａ２についてリードイン領域に記録されていたそれまでの記録回数Ｊに１を加える。なお、データ記録再生部７０は、ある分割領域の少なくとも一部に情報を記録した場合に、当該分割領域に１回記録を行ったと判断する。
【００３２】
また、データ記録再生部７０は、ステップＳ１３０で分割領域への記録を実行した過程でエラーセクタを新たに検知した場合には、当該新たなエラーセクタのアドレスを、リードイン領域における前記アドレス情報に追記する（アドレス情報の更新）。このようなステップＳ１４０を実現する点で、光ディスク記録再生装置１００（データ記録再生部７０等）は、分割領域毎の情報の記録回数を光ディスクの特定領域に記録する使用履歴記録部、および、情報の記録の際にエラーが発生したセクタのアドレスを前記特定領域に記録するエラー記録部、として機能すると言える。以上で、図２に示した情報記録処理を終了する。
【００３３】
このような第１実施例によれば、光ディスクＤの半径方向において分割した複数の同心円状の分割領域毎に、情報の記録回数がリードイン領域において管理され、分割領域毎の記録回数は、分割領域毎に定められた記録回数に対する異なる評価基準に基づいて、多いか少ないか等評価される。そして、対応する評価基準の下で記録回数が少ないと評価された分割領域が、情報の記録を行う領域として優先的に選択される。従って、記録が繰り返されることによる劣化の進行度合いが、いずれの分割領域においても同程度となり、光ディスクＤ全体の品質を、より長く保つことができる。
【００３４】
光ディスクＤは、データ領域ＤＡ（図３参照）内の記録再生品質が、そもそも均一ではないことがある。具体的には、光ディスクＤは、外周に近い領域ほど、記録再生品質が低いことが多く、また、繰り返しの書き換えに対する耐性も低い。そのため、本実施例のように、光ディスクＤの内周に近い分割領域に対する評価基準ほど、少ないと評価する記録回数の値を大きくしたことで、分割領域間で記録回数にばらつきを生じさせ、結果的に、記録が繰り返されることによる劣化の進行度合いが内周に近い領域も外周に近い領域も同程度とすることができる。よって、光ディスクＤを長寿命化できる。また、光ディスクＤの傷等によって生じるエラーセクタについては、これを避けて記録するようにしたため、光ディスクＤへの記録動作が安定する。
【００３５】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、既に説明した事項と異なる点を主に説明する。
【００３６】
（第２実施例）
光ディスク記録再生装置１００は、記録画質が異なる複数の記録モードの中から選択された記録モードによって、光ディスクＤへ情報の記録を実行する。記録モードとは、具体的には、高画質モード（ＸＰモード）、標準画質モード（ＳＰモード）、低画質モード（ＬＰモード）等と呼ばれる各モードである。当然、画質が高くなれば、記録のためにより多くの容量を必要とする。
【００３７】
データ記録再生部７０は、図２の情報記録処理を開始する前に、記録モードの選択を受け付ける。つまり、ユーザによる記録モードの選択（例えば、リモコンの操作による記録モードの選択）を、データ記録再生部７０は操作受付部８０を通じて受け付ける。このように、記録モードの選択を受け付ける点で、光ディスク記録再生装置１００（データ記録再生部７０や操作受付部８０等）は、モード選択受付部として機能すると言える。
【００３８】
データ記録再生部７０は、前記選択された記録モードに応じて、分割領域の数を決定する。基本的には、画質が高い記録モードであるほど、分割領域の数を少なくする。これは、画質が高い記録モードであれば、１つの動画コンテンツの録画にデータ領域ＤＡ（図３参照）のより多くの部分が記録に使用され、分割領域の数を多くする意味が薄いからである。一例として、データ記録再生部７０は、ＸＰモードが選択された場合は分割領域の数を２とし、ＳＰモードが選択された場合は分割領域の数を４とし、ＬＰモードが選択された場合は分割領域の数を６とする。データ記録再生部７０は、このような分割領域の数の決定も、図２の情報記録処理を開始する前に実行する。
【００３９】
記録モードの選択に応じて分割領域の数を決定してから最初に実行する情報記録処理（図２）においては、ステップＳ１００，Ｓ１１０で、リードイン領域から分割領域毎の記録回数を取得することはできない（分割領域毎の記録回数の情報が存在しない）。また、当該最初の情報記録処理（図２）においては、ステップＳ１２０で、分割領域間の優先順位を分割領域毎の記録回数に応じて決定するができないため、ステップＳ１３０では、基本的には光ディスクＤの内周側の領域から優先的に記録に使用する。当該最初の情報記録処理（図２）のステップＳ１４０では、データ記録再生部７０は、前記決定された数に応じてデータ領域ＤＡ（図３参照）内に、光ディスクＤの内周側から外周側に沿って複数の同心円状の領域（分割領域）を設定する。そして当該ステップＳ１４０では、ステップＳ１３０で行った情報の記録の結果に応じて、リードイン領域に、当該設定した分割領域毎の記録回数を記録し、また、エラーセクタのアドレス情報を記録する。
【００４０】
以降の情報記録処理（図２）は、第１実施例で説明した通りの処理を行う。このように第２実施例によれば、ユーザによって選択される記録モードに応じて、分割領域の数を異ならせる。
【００４１】
（第３実施例）
データ記録再生部７０は、上述したようにユーザによって選択される記録モード毎の選択回数を、所定のメモリ（例えば、データ記録再生部７０が有するＲＯＭ）に記録するとしてもよい。ユーザは、光ディスクＤへ任意の動画コンテンツ等を記録させる際に、その都度、記録モードを選択することができるため、データ記録再生部７０は、各記録モードが選択された回数を、モード選択履歴として前記メモリに記録しておく。このように、モード選択履歴を記録する点で、光ディスク記録再生装置１００（データ記録再生部７０や前記メモリ等）は、モード履歴記録部として機能すると言える。
【００４２】
データ記録再生部７０は、図２の情報記録処理を開始する前に、その時点で前記メモリに記録されているモード選択履歴を参照し、当該履歴の中で選択回数が最も多い記録モードに応じて、分割領域の数を決定する。記録モードと分割領域数との関係は、第２実施例で述べた通りである。また、分割領域の数を決定してから最初に実行する情報記録処理（図２）の説明も、第２実施例と同様である。このように第３実施例によれば、前記メモリに記録されたモード選択履歴の中で選択回数が多い記録モードに応じて、分割領域の数を異ならせる。
【００４３】
なお、第２実施例および第３実施例のいずれにおいても、一つの光ディスクＤのリードイン領域に分割領域毎の記録回数が一度記録された後は、その光ディスクＤに関しては分割領域の数は維持される。第２実施例や第３実施例によれば、実際に採用される（採用される可能性が高い）記録モードに応じて分割領域数が決まるため、一回の情報記録処理（図２）毎に、記録に使用された分割領域と使用されなかった分割領域とが明確に生じやすく、分割領域毎に前記評価基準の下で記録回数を適正に増加させて光ディスクＤ全体の寿命を延ばすことができる。
【００４４】
（第４実施例）
図４は、光ディスク記録再生装置１００が実行する光ディスクＤからの情報再生処理をフローチャートにより示している。情報再生処理としては、例えば、光ディスクＤに録画された動画コンテンツを再生する場面が想定される。当該フローチャートは、主として、所定のプログラムに従って機能するデータ記録再生部７０による制御化で実現される。データ記録再生部７０は、光ピックアップ１０や信号増幅器３０等の、光ディスク記録再生装置１００内の各構成と協同することにより、当該フローチャートの各ステップを実現させる。
【００４５】
ステップＳ２００では、データ記録再生部７０は、光ディスクＤのリードイン領域にアクセスする。つまり、リードイン領域に記録されている情報を読み出す。
ステップＳ２１０では、データ記録再生部７０は、リードイン領域から読み出した情報のうちエラーセクタのアドレス情報を取得する。ステップＳ２１０で取得するアドレス情報は、過去の情報記録処理（図２のステップＳ１４０）や情報再生処理（ステップＳ２３０）で更新されたアドレス情報である。
【００４６】
ステップＳ２２０では、データ記録再生部７０は、光ディスクＤに記録された動画コンテンツにかかるデータを読み出して再生する。このとき、データ記録再生部７０は、ステップＳ２１０で取得した前記アドレス情報を参照し、当該アドレス情報が示すアドレスのセクタ（エラーセクタ）を避けてデータの読み出しを行う。
【００４７】
ステップＳ２３０では、データ記録再生部７０は、ステップＳ２２０で行った情報の読み出し結果に応じて、リードイン領域における前記アドレス情報を更新する。つまり、ステップＳ２２０で光ディスクＤから情報を読み出した過程でエラーセクタを新たに検知した場合には、当該新たなエラーセクタのアドレスを、リードイン領域における前記アドレス情報に追記する（アドレス情報の更新）。このようなステップＳ２３０を実現する点で、光ディスク記録再生装置１００（データ記録再生部７０等）は、情報の再生の際にエラーが発生したセクタのアドレスを前記特定領域に記録するエラー記録部、として機能すると言える。以上で、図４に示した情報記録処理を終了する。このような第４実施例によれば、光ディスクＤの傷等によって生じるエラーセクタについては、これを避けて再生するようにしたため、光ディスクＤの再生動作が安定する。
【００４８】
（その他の実施例）
本実施形態は、前記分割領域毎の評価基準を、光ディスクＤの内周に近い分割領域に対する評価基準ほど、少ないと評価する記録回数の値を小さくすることを排除しない。つまり、外周側よりも内周側の方が品質が低い光ディスクＤを想定した場合、これまでの説明とは逆に、内周に近い分割領域ほど、少ない記録回数で、記録回数が多いと判定してもよい。
【００４９】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００５０】
１０…光ピックアップ、７０…データ記録再生部、１００…光ディスク記録再生装置、Ａ１，Ａ２，Ａ３…領域（分割領域）、Ｄ…光ディスク、ＤＡ…データ領域、ＬＩ…リードイン領域
【図１】
2016015188.tif 000003
【図２】
2016015188.tif 000004
【図３】
2016015188.tif 000005
【図４】
2016015188.tif 000006